(57)【要約】【課題】撮像部と表示部の相対位置を変更可能に構成し、逆光環境下あるいは逆光以外の環境下のいずれかで撮像が行われたり表示画面を観察するかを考慮して撮像部と表示部の制御を行う撮像表示装置を提供する。【解決手段】撮像表示装置２は、被写体を撮像する撮像部１６と、撮像部１６で撮像した画像データに基づいて画像を表示する表示部１８と、撮像部１６および表示部１８を制御する制御部２０とを備える。撮像部１６と表示部１８の相対位置は変更可能に構成されている。撮像表示装置２は、被写体が逆光で撮像されるか否かを判定する逆光判定部４６と、撮像部１６と表示部１８との相対位置を検出する相対位置検出部４２とを有する。制御部２０は、逆光判定部４６による判定情報および相対位置検出部４２による検出情報に基づいて、撮像部１６および／または表示部１８を制御する。【選択図】        図３
2004363898.tif 000002
【特許請求の範囲】
【請求項１】
被写体を撮像する撮像部と、撮像部で撮像した画像データに基づいて画像を表示する表示部と、撮像部および表示部を制御する制御部とを備え、撮像部と表示部の相対位置を変更可能に構成した撮像表示装置において、
被写体が逆光で撮像されるか否かを判定する逆光判定部と、撮像部と表示部との相対位置を検出する相対位置検出部とをさらに有し、上記制御部は、逆光判定部による判定情報および相対位置検出部による検出情報に基づいて、撮像部および／または表示部を制御することを特徴とする撮像表示装置。
【請求項２】
上記逆光判定部は、撮像画像データに対応する画像の顔領域と背景領域との輝度を比較することにより判定を行うことを特徴とする請求項１の撮像表示装置。
【請求項３】
被写体を撮像する撮像部と、撮像部で撮像した画像データに基づいて画像を表示する表示部と、撮像部および表示部を制御する制御部とを備え、撮像部と表示部の相対位置を変更可能に構成した撮像表示装置において、
被写体が逆光で撮像されるか否かをユーザが入力するための入力部と、撮像部と表示部との相対位置を検出する相対位置検出部とをさらに有し、上記制御部は、入力部を介したユーザ入力情報および相対位置検出部による検出情報に基づいて、表示部を制御することを特徴とする撮像表示装置。
【発明の詳細な説明】
【０００１】
【発明の属する技術分野】
本発明は、撮像部および表示部を備えた撮像表示装置に関する。
【０００２】
【従来の技術】
携帯式ビデオカメラやカメラ付き携帯電話などの撮像表示装置は、一般に、被写体を撮像する撮像部、および撮像した画像データに基づいて画像を表示する表示部を備えている。
【０００３】
このような撮像表示装置として、周囲の明るさの変化に迅速に対応して最適な画面表示を得るよう、撮像部と表示部の制御を統合的に行う制御部を備えたものが提案されている（例えば、特許文献１参照。）。
【０００４】
また、撮像部と表示部との相対位置（位置関係）が変更可能な撮像表示装置（電子カメラ装置）が提案されている（例えば、特許文献２参照。）。
【０００５】
【特許文献１】
特開２００１−５０１３１号公報
【特許文献２】
特開２０００−９２３６７号公報
【０００６】
【発明が解決しようとする課題】
近年、日中に逆光で撮影するといった場合であっても、最適な画面を表示できる撮像表示装置が望まれている。しかしながら、前者の撮像表示装置では、周囲の明るさ以外の使用環境条件を考慮していない。また、後者の撮像表示装置では、逆光下で撮像したか否か、および逆光下で表示画面をユーザが観察するか否かを考慮していない。
【０００７】
そこで、本発明は、撮像部と表示部の相対位置を変更可能に構成し、逆光環境下あるいは逆光以外の環境下（本願では、「順光」といい、曇り・雨など日が差さない環境も含む。）のいずれかで撮像が行われたり表示画面を観察するかを考慮して撮像部と表示部の制御を行う撮像表示装置を提供することを目的とする。
【０００８】
【課題を解決するための手段】
上記目的を達成するために、本発明に係る撮像表示装置は、
被写体を撮像する撮像部と、撮像部で撮像した画像データに基づいて画像を表示する表示部と、撮像部および表示部を制御する制御部とを備え、撮像部と表示部の相対位置を変更可能に構成した撮像表示装置において、
被写体が逆光で撮像されるか否かを判定する逆光判定部と、撮像部と表示部との相対位置を検出する相対位置検出部とをさらに有し、上記制御部は、逆光判定部による判定情報および相対位置検出部による検出情報に基づいて、撮像部および／または表示部を制御することを特徴とする。
【０００９】
【発明の実施の形態】
以下、添付図面を参照して本発明に係る実施の形態を説明する。以下では、撮像表示装置としてカメラ付き携帯電話の例を説明するが、本発明はこれ以外の形態にも適用可能である。
【００１０】
実施の形態１．
図１、２は、本発明に係る撮像表示装置の実施の形態１を示す外観図である。この撮像表示装置２は、下部筐体４、上部筐体６、および下部筐体４と上部筐体６を連結する中空のヒンジ部８を備える。下部筐体４および上部筐体６は、図２に示す折り畳み位置と図１に示す開き位置との間で、ヒンジ部８周りに相対的に回動可能となっている。下部筐体４と上部筐体６にはそれぞれ、折り畳んだ状態で内側に隠れる面（以下、内側表面という。）に、複数の操作キー１０、および内側液晶表示パネル（以下、内側ＬＣＤという。）１２ａが設けてある。操作キー１０には、カメラモード等を選択するための選択キーが含まれる。上部筐体６には、折り畳んだ状態で外側にある面（以下、外側表面という。）に外側液晶表示パネル（以下、外側ＬＣＤという。）１２ｂが設けてある。ヒンジ部８には、内側表面と外側表面の所定の位置にそれぞれガラス窓８ａ，８ｂが形成されている。窓８ａ，８ｂが形成されている理由は後述する。
【００１１】
図３は、図１，２の撮像表示装置のブロック図である。撮像表示装置２は、被写体を撮像する撮像部１６と、撮像部１６で撮像した画像データに基づいて画像を内側ＬＣＤ１２ａまたは外側ＬＣＤ１２ｂに表示する表示部１８と、撮像部１６および表示部１８を制御する制御部２０とを備える。撮像部１６、表示部１８、および制御部２０の各構成要素は、上述または後述するように、下部筐体４、上部筐体６、およびヒンジ部８の内部または表面上に配設されている。
【００１２】
撮像部１６は、光学系２２、絞り機構２４、撮像素子２６、画像処理部２８等を備えている。光学系２２は、所定の方向に平行な光軸を有する複数のレンズからなるレンズ機構で、撮像素子２６の撮像面に被写体像を結像させるようになっている。光学系２２の最前部に位置するレンズ２２ａは、図１（ａ）に示すように、開き位置ではヒンジ部８の窓８ａに対向し、図２（ｂ）に示すように、折り畳み位置では窓８ｂに対向するようになっている。絞り機構２４は、絞り羽根およびモータ（ともに図示せず）を備え、該モータは、制御部２０からの制御信号を受けた駆動回路２９から所定の電圧を受けて、絞り羽根を駆動し、これにより、光学系２２から入射される光の量を調整するようになっている。撮像素子２６は、例えばＣＣＤで、撮像面で受光した光信号を電気信号に変換して、画像処理部２８に出力するようになっている。撮像素子２６は、制御部２０からの垂直駆動（ＶＤ）信号に同期して画像を取り込むが、この同期信号を適宜調整することで、いわゆるシャッタ速度の調整と同等の作用が得られる。画像処理部２８は、撮像素子２６からの電気信号（アナログ信号）を、アナログ／ディジタル（Ａ／Ｄ）変換後、γ補正し、さらに、露出補正およびホワイトバランス補正を行い、画像信号として表示部１８に出力するようになっている。画像処理部２８はまた、画像フレーム毎に平均輝度を演算するようになっている。
【００１３】
表示部１８は、内側および外側ＬＣＤ１２ａ，１２ｂ以外に、画像処理部３２、ＬＣＤ駆動回路３４、内側および外側光源３６ａ，３６ｂ、内側および外側光源用の駆動回路３８ａ，３８ｂ等を備えている。画像処理部３２は、撮像部１６の画像処理部２８からの画像信号をビデオ信号に変換し、さらに、コントラスト補正および明るさ補正を行い、補正したビデオ信号をＬＣＤ駆動回路３４に出力するようになっている。ＬＣＤ駆動回路３４は、画像処理部３２からのビデオ信号および制御部２０からの制御信号に基づいて、ＬＣＤ１２ａ，１２ｂの一方を制御して、ビデオ信号に対応した画像を表示させるようになっている。内側および外側光源３６ａ，３６ｂはそれぞれ、内側および外側ＬＣＤ１２ａ，１２ｂの背面にそれぞれ配置された導光板（図示せず）を介して、ＬＣＤ１２ａ，１２ｂに照明用の光を供給するものである。内側および外側光源用駆動回路３８ａ，３８ｂはそれぞれ、制御部２０から制御信号を受けて内側および外側光源３６ａ，３６ｂを駆動する（すなわち、光源の光量を制御する）ためのインバータ回路である。
【００１４】
撮像表示装置２の制御部２０は、画像処理部２８で演算した画像の平均輝度から周囲照度を推定し、該周囲照度に基づいて、撮像部１６においては絞り機構２４、撮像素子２６、および／または画像処理部２８を制御して露出補正するとともに、表示部１８においては画像処理部３２および／または駆動回路３８ａまたは３８ｂを制御してＬＣＤ１２ａまたは１２ｂの輝度補正を行う。
【００１５】
本実施形態に係る撮像表示装置２では、制御部２０には判定部４０が接続されており、制御部２０は、後述するように、判定部４０からの情報に基づいて撮像部１６および表示部１８の制御方法を変更する。判定部４０は、相対位置検出部４２、画像メモリ４２、照度環境演算部４４等を備えている。
【００１６】
相対位置検出部４２は、撮像部１６と表示部１８の相対位置（位置関係）を検出するためのものである。本実施形態では、相対位置検出部４２は、装置２の開閉に連動してオン／オフが切り換わるスイッチである。例えば、相対位置検出部４２が開き位置でオン信号を制御部２０に出力するように設定することで、制御部２０は、図１に示す開き位置で、相対位置検出部４２からオン信号を受けて、撮像部１６の光学系２２への光の入射方向と表示部１８の内側ＬＣＤ１２ａを観察する方向とが略同一方向であること（レンズ２２ａと内側ＬＣＤ１２ａが装置２の同じ側に位置すること）を認識する。また、制御部２０は、図２に示す折り畳み位置で、撮像部１６の光学系２２への光の入射方向と表示部１８の外側ＬＣＤ１２ｂを観察する方向とが逆方向（レンズ２２ａと外側ＬＣＤ１２ｂが装置２の反対側に位置すること）であることを認識する。
【００１７】
画像メモリ４４は、撮像部１６の画像処理部２８から出力される画像データ（例えばＲＧＢ画像データ）を一時的に記憶するためのものである。
【００１８】
照度環境判定部（逆光判定部）４６は、画像メモリ４４に記憶された画像データに基づいて、被写体が逆光環境下で撮像されたか否かを判定するためのものである。ところで、カメラ付き携帯電話２の撮影対象として顔が一般的であるため、本実施形態では、照度環境演算部４６は、画像上で顔領域と背景領域との輝度を比較することで、撮像環境が逆光か順光のいずれかであったかを判定する。具体的には、図４を参照して、照度環境演算部４６は、画像メモリ４４に記憶された画像データに基づいて、画像フレーム５０の画素毎に色度座標を求め、肌色を示す顔領域５０ｆとその他の領域（背景領域）５０ｂに分割する。そして、顔領域５０ｆの平均輝度をＬｆ、背景領域５０ｂの平均輝度をＬｂを演算し、
2004363898.tif 000003
の場合には順光、
2004363898.tif 000004
の場合には逆光と判断する。ここで、Ｃは、誤判定を最小に抑えるために設定した適当な数値である。照度環境演算部４６は、撮像条件が逆光下であるか順光下であるかを示す信号を制御部２０に送出する。かかる照度環境演算部４６は、比較的簡便な方法で照度環境の判定を行っており、したがって、安価な撮像表示装置２を提供できる効果がある。しかしながら、顔領域５０ｆと背景領域５０ｂの分割方法は、上述の方法に限らない。また、被写体が顔以外の場合を考慮して、照度環境演算部４６は、被写体領域とそれ以外の背景領域を分割するための、画像認識手段などの手段を備えていてもよい。
【００１９】
次に、かかる構成を備えた撮像表示装置２の撮像表示動作について説明する。ユーザ自身を撮像する場合、ユーザは図１に示すように装置２を開き位置にセットし、内側表面、すなわち撮像部１６の光学系２２のレンズ２２ａおよび表示部１８の内側ＬＣＤ１２ａをユーザに対向させる。制御部２０は、相対位置検出部４２からオン信号を受けて、内側光源用駆動回路３８ａに制御信号を送出し、内側光源３６ａを点灯させる。一方、撮像部１６の光学系２２および絞り機構２４を介して撮像素子２６の撮像面に、ユーザの顔およびその周辺を表す像が結像されると、撮像素子２６は、制御部２０からの駆動信号に同期して画像処理部２８に電気信号を出力する。画像処理部２８は、Ａ／Ｄ変換、続いてγ補正を行った後、露出補正およびホワイトバランス補正を行い、得られた画像信号を、表示部１８の画像処理部３２および判定部４０の画像メモリ４４に出力する。
【００２０】
表示部１８の画像処理部３２は、画像信号をビデオ信号に変換後、コントラスト補正および明るさ補正を行い、ＬＣＤ駆動回路３４に送出する。ＬＣＤ駆動回路３４は、画像処理部３２からのビデオ信号、および、制御部２０から送られた撮像部１６と表示部１８の相対位置を示す信号に基づいて、内側ＬＣＤ１２ａを駆動し、画像を表示する。
【００２１】
撮像表示装置２が開き位置にセットされた状態で、制御部２０は、撮像が逆光あるいは順光のもとで行われるかに応じて、撮像部１６および表示部１８の制御方法を以下のように変更する。
【００２２】
図５（ａ）に示すように、順光下（例えば、装置２を挟んでユーザの反対側に太陽が位置する場合や、曇りの場合など）で撮像が行われる場合、制御部２０は、照度環境演算部４６から順光下で撮像が行われていることを示す信号を受けて、撮像部１６に対し通常の露出補正制御を行う。一例として、図６を参照して、画像処理部２８でＡ／Ｄ変換して得た画像データに対応する画像の濃度ヒストグラムを求め、濃度値（階調）がある範囲に偏って分布している場合に、（画像の最高輝度が飽和しない範囲で）より広い範囲に濃度の分布を広げる濃度変換（いわゆるヒストグラム伸張化）を行う。
【００２３】
図５（ｂ）に示すように、逆光下（すなわち、装置２に対しユーザと太陽が同じ側に位置する状態）で撮像が行われる場合、制御部２０は、照度環境演算部４６から逆光下での撮像で行われていることを示す信号を受けて、撮像部１６に対し、逆光用の露出補正制御を行う。一例として、図７を参照して、画像処理部２８でＡ／Ｄ変換して得た画像データに対応する画像５０（図４）内の、照度環境演算部４６で分割した顔領域５０ｆに関する濃度ヒストグラムのみを求め、ヒストグラム伸張化を行う。
【００２４】
装置２が開き位置にセットされた状態では、内側ＬＣＤ１２ａの画面の視認性は、順光下での撮像の場合良好で［図５（ａ）参照］、逆光下での撮像の場合悪い（太陽光により画面が見づらい）［図５（ｂ）参照］。そこで、制御部２０は、周辺照度（撮像部１６の画像処理部２８でＡ／Ｄ変換後に得た信号から演算した画像の平均輝度に対応）が順光下と逆光下で同じ場合であっても、順光下に比べて逆光下での内側ＬＣＤ１２ａの輝度が大きくなるよう、表示部１８を制御する。例えば、図８を参照して、制御部２０は、内側ＬＣＤ１２ａの輝度の増加量が画像の平均輝度に比例するよう、内側光源３６ａを駆動する内側光源用駆動回路３８ａを制御するとともに、比例係数として小さい値Ｇ１か大きな値Ｇ２のいずれかを選択できるようにする。そして、照度環境演算部４６から順光下での撮像を示す信号を受けた場合、制御部２０は、比例係数がＧ１となるよう内側光源用駆動回路３８ａを制御する。一方、照度環境演算部４６から逆光下での撮像を示す信号を受けた場合、制御部２０は、比例係数がＧ２となるよう内側光源用駆動回路３８ａを制御する。
【００２５】
一方、ユーザ以外の別の被写体を撮影する場合、ユーザは装置２を図２に示すように折り畳み位置にセットし、撮像部１６の光学系２２のレンズ２２ａを被写体に、表示部１８の外側ＬＣＤ１２ｂをユーザに対向させる。制御部２０は、相対位置検出部４２から信号を受けず、その結果、外側光源用駆動回路３８ｂに制御信号を送出し、外側光源３６ｂを点灯させる。一方、撮像部１６の光学系２２および絞り機構２４を介して撮像素子２６の撮像面に被写体の顔およびその周辺を表す像が結像されると、撮像素子２６は、制御部２０からの駆動信号に同期して画像処理部２８に電気信号を出力する。画像処理部２８は、Ａ／Ｄ変換、続いてγ補正を行った後、露出補正およびホワイトバランス補正を行い、得られた画像信号を、表示部１８の画像処理部３２および判定部４０の画像メモリ４４に出力する。
【００２６】
表示部１８の画像処理部３２は、画像信号をビデオ信号に変換後、コントラスト補正および明るさ補正を行い、ＬＣＤ駆動回路３４に送出する。ＬＣＤ駆動回路３４は、画像処理部３２からのビデオ信号、および、制御部２０から送られた撮像部１６と表示部１８の相対位置を示す信号に基づいて、外側ＬＣＤ１２ｂを駆動し、画像を表示する。
【００２７】
撮像表示装置２が折り畳まれた位置にセットされた状態で、制御部２０は、撮像が逆光あるいは順光のもとで行われるかに応じて、撮像部１６および表示部１８の制御方法を以下のように変更する。
【００２８】
図９（ａ）に示すように、順光下（例えば、装置２を挟んで被写体の反対側に太陽が位置する場合や、曇りの場合など）で撮像が行われる場合、制御部２０は、照度環境演算部４６から順光下で撮像が行われていることを示す信号を受けて、撮像部１６に対し上述したような通常の露出補正制御を行う。
【００２９】
図９（ｂ）に示すように、逆光下（すなわち、装置２に対し被写体と太陽が同じ側に位置する状態）で撮像が行われる場合、制御部２０は、照度環境演算部４６から逆光下で撮像が行われていることを示す信号を受けて、撮像部１６に対し、上述したような逆光用の露出補正制御を行う。
【００３０】
装置２が折り畳まれた位置にセットされた状態では、外側ＬＣＤ１２ｂの画面の視認性は、順光下、特に装置２に対しユーザと同じ側に太陽が位置する状態での撮像の場合悪く［図９（ａ）参照］、逆光下での撮像の場合良好である［図９（ｂ）参照］。そこで、制御部２０は、周辺照度（撮像部１６の画像処理部２８でＡ／Ｄ変換後に得た信号から演算した画像の平均輝度に対応）が順光下と逆光下で同じ場合であっても、逆光下に比べて順光下での外側ＬＣＤ１２ｂの輝度が大きくなるよう、表示部１８を制御する。図８を参照して、例えば、照度環境演算部４６から逆光下で撮像が行われていることを示す信号を受けた場合、制御部２０は、比例係数が小さな値Ｇ１となるよう外側光源用駆動回路３８ｂを制御する。一方、照度環境演算部４６から順光下で撮像が行われていることを示す信号を受けた場合、制御部２０は、比例係数が大きな値Ｇ２となるよう外側光源用駆動回路３８ｂを制御する。なお、折り畳み位置での比例係数と開き位置での比例係数は、異なってもよい。
【００３１】
このように、本実施形態によれば、逆光／順光の撮像条件および撮像部１６と表示部１８の相対位置の違いを考慮した、撮像部１６の露出制御および表示部１８の輝度制御を行うことができ、したがって、従来に比べてより高品質の画像表示を行うことができる。
【００３２】
実施の形態２．
図１０は、本発明に係る撮像表示装置の実施の形態２を示すブロック図である。以下の説明では、実施の形態１と同一または類似の構成要素は、同一の符号または同一の符号に適当な添字を付して表す。本実施形態に係る撮像表示装置２ａは、実施の形態１に係る撮像表示装置２に類似しているが、判定部４０ａは、画像メモリ４４および照度環境演算部４６の代わりに、照度環境入力部５０を備えている点が異なる。具体的には、本実施形態では、逆光下で撮像が行われているか否かの情報を、画像メモリ４４および照度環境演算部４６が自動的に判定する代わりに、照度環境入力部５０（実施の形態１の操作キー１０に対応）を介してユーザが入力するようになっている。
【００３３】
本実施形態では、実施の形態１と同様に、撮像表示装置２ａの制御部２０は、画像処理部２８で演算した画像の平均輝度から周囲照度を推定し、該周囲照度に基づいて、撮像部１６においては絞り機構２４、撮像素子２６、および／または画像処理部２８を制御して露出補正するとともに、表示部１８においては画像処理部３２および／または駆動回路３８ａまたは３８ｂを制御してＬＣＤ１２ａまたは１２ｂの輝度補正を行う。
【００３４】
さらに、本実施形態では、制御部２０は、照度環境入力部（ユーザ入力部）５０を介してユーザが指示した逆光／順光の情報および相対位置検出部４２で検出した撮像部１６と表示部１８の相対位置に応じて、表示部１８を制御する。具体的には、図９に示すような画像の平均輝度とＬＣＤ１２ａまたは１２ｂの輝度増加量の関係を表す比例係数を複数用意しておき、制御部２０は、照度環境入力部５０を介してユーザが指示した逆光／順光の情報および相対位置検出部４２で検出した撮像部１６と表示部１８の相対位置に応じて比例係数を選択する。そして、画像処理部２８で演算した画像の平均輝度に基づいて、ＬＣＤ１２ａまたは１２ｂの所望の輝度が得られるよう表示部１８を制御する。本実施形態では、撮像部１６の制御方法を、撮像条件が逆光か否かに応じて変更していないが、表示部１８の制御を行うための演算量を削減することができるとともに、ハードウェアの回路規模の削減を図ることができる。
【００３５】
以上、本発明に係る具体的な実施形態について説明したが、本発明はこれらに限らず種々改変可能である。例えば、逆光下で撮像が行われたか否かを判定する判定部に、装置２側で撮像条件を演算するための照度環境演算部４６とユーザが逆光／順光情報を入力するための照度環境入力部５０の両方を搭載し、逆光／順光に関する判定を照度環境演算部４６と照度環境入力部５０のいずれにより行うかをユーザが選択できるようにしてもよい。
【００３６】
【発明の効果】
本発明に係る撮像表示装置によれば、逆光下で撮像するか否かの情報、および、撮像部と表示部がどのような位置関係にあるかの情報に応じて、撮像部および／または表示部の制御方法を調整しており、したがって、使用環境（すなわち逆光／順光）や使用形態（すなわち撮像部と表示部の相対位置）によらず常に高品質の画像を表示できる。
【図面の簡単な説明】
【図１】本発明に係る撮像表示装置の第１の実施形態であるカメラ付き携帯電話であって、（ａ）は開いた状態での前方斜視図、（ｂ）は開いた状態での後方斜視図を示す。
【図２】本発明に係る撮像表示装置の第１の実施形態であるカメラ付き携帯電話であって、（ａ）は折り畳んだ状態での前方斜視図、（ｂ）は折り畳んだ状態での後方斜視図を示す。
【図３】図１，２の撮像表示装置のブロック図。
【図４】逆光下で撮像されたか否かを判定するために顔領域と背景領域に分割した画像フレームを簡易的に示す図。
【図５】図１の開き位置にセットされた撮像表示装置に関して、一部を破断した側面図であって、（ａ）は順光下で撮像する際のユーザ（被写体）と装置の位置関係を示し、（ａ）は逆光下で撮像する際のユーザ（被写体）と装置の位置関係を示す。
【図６】図３の撮像部に対する通常の露出補正制御を行う目的で、撮像画像データから求めた濃度ヒストグラムと、該ヒストグラムに対しヒストグラム伸張を行った濃度ヒストグラムを示すグラフ。
【図７】図３の撮像部に対する逆光用の露出補正制御を行う目的で、顔領域のみに関して撮像画像データから求めた濃度ヒストグラム、該ヒストグラムに対しヒストグラム伸張を行った濃度ヒストグラムを示すグラフ。
【図８】図３の表示部のＬＣＤ用バックライトを撮像条件が逆光か順光かに応じて制御する際に用いる、画像の平均輝度とＬＣＤの輝度の増加量の関係を示すグラフ。
【図９】図２の折り畳み位置にセットされた撮像表示装置に関して、一部を破断した側面図であって、（ａ）は順光下で撮像する際のユーザおよび被写体と装置の位置関係を示し、（ａ）は逆光下で撮像する際のユーザおよび被写体と装置の位置関係を示す。
【図１０】本発明に係る撮像表示装置の第２の実施形態を示すブロック図。
【符号の説明】
２：撮像表示装置
１２ａ，１２ｂ：ＬＣＤ
１６：撮像部
１８：表示部
２２ａ：レンズ
４０：判定部
４２：相対位置検出部
４６：照度環境演算部（逆光判定部）
【図１】
2004363898.tif 000005
【図２】
2004363898.tif 000006
【図３】
2004363898.tif 000007
【図４】
2004363898.tif 000008
【図５】
2004363898.tif 000009
【図６】
2004363898.tif 000010
【図７】
2004363898.tif 000011
【図８】
2004363898.tif 000012
【図９】
2004363898.tif 000013
【図１０】
2004363898.tif 000014